(57)【特許請求の範囲】
【請求項１】
ケーブル類を結束する結束バンドに装着可能とする挿通孔を有し、ケーブル類の結束状態で前記ケーブル類の外表面と結束バンドとの間に離間空間を形成させるスペーサを備え、
前記スペーサはケーブル類の外表面に当接する台座と、前記台座から立設され前記バンド挿通孔を穿設された突片からなることを特徴とする結束バンド用セーフティブロック。
【請求項２】
前記突片は間隔を空けて一対設けられていることを特徴とする請求項１記載の結束バンド用セーフティブロック。
【請求項３】
前記スペーサは矩形台座の対向する縁辺から突片を立設させたＵ字形状とされてなることを特徴とする請求項２記載の結束バンド用セーフティブロック。
【請求項４】
ケーブル類を結束する結束バンドにおいて、前記結束バンドに請求項１乃至請求項３のセーフティブロックを挿通してなることを特徴とするセーフティブロック付き結束バンド。
【発明の詳細な説明】
【技術分野】
【０００１】
本発明は、ケーブル類を結束し、またその結束を解く結束バンド用セーフティブロック及びセーフティブロック付き結束バンドに関する。
【背景技術】
【０００２】
結束バンドは通信ケーブル類の機械室内やキャビネット内における配線工事時にケーブル類を結束するために使用されている。結束バンドは帯状のバンド面にのこぎり歯状の係止溝を形成し、当該バンドの一端部に形成したバンド通し穴部分に係止爪を設けたもので、ケーブル類を巻き上げるようにバンドでリングを作り、バンド先端を前記通し穴に挿通して係止爪を係止溝に係合させることで結束するように使用される。そして、一旦、係止爪が係止溝に係合した後は、締付けリング径を小さくする締付け方向にのみ係合させることができるが、締め緩みが出来ない構成となっている。
従って結束バンドにより一度結束を行うと結束を解除出来ないこととなる（特許文献１参照）。
【０００３】
しかし、敷設したケーブルの増設や撤去工程が発生すれば結束バンドを切断し、結束し直す工程が発生する。結束バンドの切断にはニッパ等が用いられるが、このときニッパの刃先を結束されたケーブルと結束バンドの間にこじ入れて隙間を作り切断を行うため、ニッパの刃先が隙間に入り難く、また、結束されたケーブルを傷つけ、誤切断するおそれがあった。
【特許文献１】特開２００６−２５４５８９号公報
【発明の開示】
【発明が解決しようとする課題】
【０００４】
そこで、本発明は上記従来の問題点に着目し、ケーブル類を傷つけず、及び誤切断することもなく結束バンドを容易に切断できる結束バンド用セーフティブロックおよびセーフティブロック付き結束バンドを提供することを目的とする。
【課題を解決するための手段】
【０００５】
上記目的を達成するため本発明にかかる結束バンド用セーフティブロックは、ケーブル類を結束する結束用バンドに装着可能とする挿通孔を有し、ケーブル類の結束状態で前記ケーブル類の外表面と結束用バンドとの間に離間空間を形成させるスペーサを備え、前記スペーサはケーブル類の外表面に当接する台座と、前記台座から立設され前記バンド挿通孔を穿設された突片からなることを特徴としている。
【０００６】
前記突片は間隔を空けて一対設ければよい。
前記スペーサは矩形台座の対向する縁辺から突片を立設させたＵ字形状とすればよい。
また本発明にかかるセーフティブロックつき結束バンドは、ケーブル類を結束する結束バンドにおいて、前記結束バンドに上述のセーフティブロックを挿通してなることを特徴としている。
【発明の効果】
【０００７】
本発明に係る結束バンド用セーフティブロックを結束バンドに挿通させることにより、前記台座の上面と結束バンドとの間には隙間ができる。これにより、セーフティブロックが挿通された結束バンドはケーブルとの結束時に常に前記隙間を有するためニッパ等の刃先が容易に前記隙間に挿入でき、結束バンドの切断が容易に行うことができるとともに、前記刃先の下面には前記台座が存在するので、結束バンド切断時においてケーブル類を傷つけること、および誤切断を回避することができる。
【発明を実施するための最良の形態】
【０００８】
以下に、本発明に係る結束バンド用セーフティブロック及びセーフティブロック付結束バンドの最良の実施形態について図面を参照しながら詳細に説明する。
実施形態に係る結束バンド用セーフティブロック１０の概略図を図１乃至図５に示す（図１・正面図、図２・底面図、図３・側面図、図４・平面図、図５・断面図）。
【０００９】
結束バンド用セーフティブロック１０は６６ナイロンを材料としており、図１、図３からわかるように、三角形の形状を有し、側面からみて矩形形状を有する突片たる一対のスペーサ１４が矩形のブロック台座１２の上に接合された剛体構造をとり、ブロック台座１２の縁片にスペーサ１４が互いに向き合って接続され全体的にＵ字型の形状をなし、前後および左右対称の構造を有している。
【００１０】
スペーサ１４のそれぞれの上部には矩形の結束バンド挿通孔１６が穿設されている（図３、図４、図５参照）。前記結束バンド挿通孔１６は、後述の結束バンド２２のバンド部２４が挿通できる寸法を有している。結束バンド挿通孔１６が穿たれる方向はスペーサ１４が互いに向き合う方向と同一である。また、結束バンド挿通孔１６の下面は結束バンド支持部１８であり（図１、図５参照）、ブロック台座１２の上面より高い位置にあって、結束時に後述の結束バンド２２を下から支持する役割を果たす。なお、本実施例においてはブロック台座１２とスペーサ１４が全体的に一定の厚みを残して両側面から内側をくり抜いた構造をとっている（図２、図５参照）。
【００１１】
一方、本実施例で用いる結束バンドの概略図を図６に示す。図７は本実施例で用いる結束バンドの断面図である。結束バンド２２は６６ナイロンを材料として、図６に示すようにバンド部２４と係合部３４により構成され、バンド先端部２６の他端と係合部３４が接合している。バンド部２４のバンド面にはバンド先端部２６から係合部３４へのこぎり歯形状の係止溝２８がライン状に一列に多数配設されている（図７参照）。係止溝２８はバンド先端部２６側に傾斜面３０を有し、係合部３４側は垂直切込面からなる係止爪保持部３２を有している。また、バンド部２４はバンド面方向に弾性屈曲させることができる。係合部３４は係合アーム３６、係合アーム支持枠３８、係合アーム支持部４０、係止爪４２、結束バンド挿通孔４４により構成されている。係合アーム３６は係合アーム支持枠３８と係合アーム支持部４０により支持され、係合アーム支持部４０を軸として一定角度回動出来るが、復元力により元の位置に戻るようになっている。また係合アーム３６の先端には係止爪４２が配設され、係止爪４２は係合アーム支持部４０から結束バンド挿通孔４４のバンド部２４の挿入側とは反対方向に位置し、結束バンド挿通孔４４に入り込んでいる。結束バンド挿通孔４４はバンド部２４が挿通でき、かつ係止爪４２とバンド部２４の係止溝２８とが干渉できる寸法に矩形に穿設されている。係止爪保持部３２は結束バンド２２の結束時に係止爪４２の先端と当接する。また係止爪保持部３２のバンド面に対する深さ方向の長さは係止爪４２の先端が結束バンド挿通孔４４に入り込んだ長さと同程度である。
【００１２】
以上の構成により、本実施形態に係る結束バンド用セーフティブロック及びセーフティブロック付結束バンドの作用及び効果について図８、図９により説明する。図８は本発明にかかる結束バンド用セーフティブロックに結束バンドを挿通したときの概略図であり、図９は本発明に係るセーフティブロック付き結束バンドを被結束物に結束した場合の概略図である。
【００１３】
まず、本実施形態に係る結束バンド用セーフティブロック１０に結束バンド２２を挿通する（図８参照）。すると、結束バンド支持部１８のブロック台座から見た高さはブロック台座１２上面よりも高いので結束バンド２２とブロック台座１２の上面との間には離間空間である隙間２０が形成される。この状態で結束バンド用セーフティブロック１０のブロック台座１２の下面にケーブル等の被結束物４６が来るようにして、結束バンド２２を被結束物４６に結束させる。前記結束を行うために、バンド部２４全体を屈曲させバンド先端部２６から結束バンド２２を結束バンド挿通孔４４に挿通させ、結束バンド２２によるリングを形成する。このとき結束バンド２２が結束バンド挿通孔４４に挿通されると係止溝２８の傾斜面３０と係止爪４２が当接する。係止爪４２が傾斜面３０に付勢しながら傾斜面３０の高さに応じて係合アーム支持部４０を軸として回動することにより、係止爪４２はバンド部２４を係合部３４方向に向かってスライドしていき、傾斜面３０の頂点を通過したきに係止爪保持部３２に遭遇し、係合アーム３６の復元力により係止爪４２は係止溝２８の谷の部分に当接する。係止溝２８はバンド面に一列に並んでいるので、係止爪４２が係止溝２８を通過するたびに前記リング径を小さくしていきながら被結束物４６を結束するまで上述の工程が繰り返し行われ、被結束物４６を結束できる所定の位置で止めたとき、結束による引張り応力とバンド部２４の弾性反発力により係止爪４２は係止爪保持部３２と当接することにより係止爪４２と係止溝２８とが係合し、結束バンド２２による被結束物４６への結束作業が完了する。
【００１４】
このとき、結束バンド２２と結束バンド支持部１８は当接し、結束バンド支持部１８は結束バンド１８からブロック台座１２下面方向とブロック台座１２から離れる方向に負荷がかかることになる。しかし結束バンド支持部１８はブロック台座１２及びスペーサ１４に支持されており、これらを包含する本発明に係る結束バンド用セーフティロック１０は剛体構造であり、上述の負荷に対しても変形することはないため、前記隙間２０は残存する（図９参照）。
【００１５】
上述のような作用を有するため、結束バンド２２と被結束物４６との間にニッパ等の刃先をこじ入れる必要はなく、前記隙間２０に前記刃先を入れることにより結束バンドの切断を容易に行うことができる。また前記刃先の下にはブロック台座１２があるため、結束バンド２２の切断時においてケーブル等の被結束物４６を傷つけること、および誤切断を回避することができる。また、結束バンド用セーフティブロック１０の結束バンド挿通孔４４に結束バンド２２を挿通させるため、結束後結束バンド用セーフティブロック１０から結束バンド２２が外れて結束が緩む心配もない。さらに、本実施例による結束によって、前記隙間２０のみならず結束バンド用セーフティブロック１０側面両側で結束バンド２２と被結束物４６の外表面との間に新たな離間空間である隙間４８ができるので（図９参照）、結束後に敷設ケーブルの増設作業が発生した場合でも当該隙間に増設に係るケーブルを挿通することができ、敷設ケーブルの宙吊りにも応用できる。また本実施例において、結束バンド挿通孔４４の内壁寸法と結束バンド２２のバンド部２４の断面寸法をほぼ同じにすることにより、結束バンド２２のバンド部２４に結束バンド挿通孔４４を挿通する際に摩擦力が発生する。これにより結束バンド２２に対して結束バンド用セーフティブロック１０が自由に動かないため、作業中に結束バンド２２から結束バンド用セーフティブロック１０が離れて落下する心配もない。
【００１６】
本実施例においては軽量化のためスペーサ１４が全体的に一定の厚みを残して両側面から内側をくり抜いた構造をとっている（図５参照）が、これを必ずしも行う必要はない。また前記隙間２０はニッパ等の刃先が挿入できる数ミリ程度の幅があれば充分であるので、結束バンド支持部１８はブロック台座１２の上面より数ミリ程度高ければよい。
【００１７】
本実施例においてはスペーサを一対用いたＵ字型構造をしているが、スペーサを一つだけ用いた構造でも実施可能である。すなわち、ブロック台座の上面中央にスペーサを接合した逆さＴ字構造のセーフティブロックとする。そして、前記セーフティブロックのスペーサ上部に上述同様に穿たれた結束バンド挿通孔に結束バンド２２を挿通し、ブロック台座の下面を被結束物４６に当接させ、この状態で前記結束バンド２２を被結束物４６に結束させる。結束後スペーサの両側には隙間が形成され、しかも隙間の下部はブロック台座１２があるため、先の実施例と同様に、結束バンド２２の切断時においてもニッパ等の刃先によって被結束物４６を傷つけ、誤切断することを防ぐことができる。
【００１８】
本実施例においては６６ナイロンを材料として用いているが、材料そのものは本発明に係るセーフティブロックに使用した場合に剛体になるものであれば何でもよく、これ以外の材質、例えば６ナイロン、４６ナイロン、ポリエチレン、ポリプロピレン、フッ素樹脂、ポリアセタール等を利用することもできる。もちろん結束バンド用セーフティブロック１０は結束バンド２２と同一材料である必要はない。
【産業上の利用可能性】
【００１９】
ケーブル類を傷つけず、及び誤切断することもなく結束バンドを容易に切断できる結束バンド用セーフティブロック及びセーフティブロック付き結束バンドの製造に利用できる。
【図面の簡単な説明】
【００２０】
【図１】本発明に係る結束バンド用セーフティブロックの正面図である。
【図２】本発明に係る結束バンド用セーフティブロックの底面図である。
【図３】本発明に係る結束バンド用セーフティブロックの側面図である。
【図４】本発明に係る結束バンド用セーフティブロックの平面図である。
【図５】本発明に係る結束バンド用セーフティブロックのＡ−Ａ線断面図である。
【図６】本発明に係る結束バンドの概略図である。
【図７】本発明に係る結束バンドのＡ−Ａ線断面図である。
【図８】結束バンドに本発明に係る結束バンド用セーフティブロックを挿通した場合の概略図である。
【図９】セーフティブロック付き結束バンドを結束物に結束した場合の概略図である。
【符号の説明】
【００２１】
１０………結束バンド用セーフティブロック、１２………ブロック台座、１４………スペーサ、１６………結束バンド挿通孔、１８………結束バンド支持部、２０………隙間、２２………結束バンド、２４………バンド部、２６………バンド先端部、２８………係止溝、３０………傾斜面、３２………係止爪保持部、３４………係合部、３６………係合アーム、３８………係合アーム保持枠、４０………係合アーム支持部、４２………係止爪、４４………結束バンド挿通孔、４６………被結束物、４８………隙間。
【図１】
0004363466.tif 000002
【図２】
0004363466.tif 000003
【図３】
0004363466.tif 000004
【図４】
0004363466.tif 000005
【図５】
0004363466.tif 000006
【図６】
0004363466.tif 000007
【図７】
0004363466.tif 000008
【図８】
0004363466.tif 000009
【図９】
0004363466.tif 000010